(57)【特許請求の範囲】
【請求項１】
表生地と裏生地とが重ねられその外周が一辺を除いて第１のステッチにより縫い合わされることによって第１の袋状体が形成され、四隅に切欠部が設けられかつ該切欠部よりも内側には切り込み部が設けられた中生地と前記裏生地とが重ねられてその外周が前記四隅を除いて第２のステッチにより縫い合わされることによって第２の袋状体が形成され、前記第２の袋状体には前記切り込み部からエンドレスファイバーで構成された中綿が収容されて該中綿の四隅のそれぞれが前記中生地の前記切欠部のそれぞれから前記第２の袋状体の外部に引き出され、前記第１の袋状体が裏返されて、その内部に前記中綿が収容された前記第２の袋状体が収容されている布団であって、
前記中生地の前記各切欠部に隣接する周辺端部が下側に折り返され、折り返されて下側になる前記各周辺端部の端部分が前記裏生地の外周に重ね合わされることにより、前記中生地と前記裏生地とが重ねられ、前記第２のステッチは、前記各周辺端部の端部分と前記裏生地の外周部分とを縫い合わせるように、かつ、前記第１のステッチよりも外側に位置するように設けられている、ことを特徴とする布団。
【請求項２】
前記中綿が収容された前記第２の袋状体において、前記第２の袋状体の外周に沿って前記中綿と縫い合わされていることを特徴とする請求項１に記載の布団。
【請求項３】
表生地と裏生地とを重ねてその外周を一辺を除いて第１のステッチにより縫い合わせることによって第１の袋状体を形成し、四隅に切欠部が設けられかつ該切欠部よりも内側には切り込み部が設けられた中生地と前記裏生地とを重ねてその外周を前記四隅を除いて第２のステッチにより縫い合わせることによって第２の袋状体を形成し、前記第２の袋状体に前記切り込み部からエンドレスファイバーで構成された中綿を収容し、該中綿の四隅のそれぞれが前記中生地の前記切欠部のそれぞれから前記第２の袋状体の外部に引き出し、前記第１の袋状体を裏返し、その中に前記中綿が収容された前記第２の袋状体を収容する布団の製造方法であって、
前記第２のステッチを設ける際に、前記中生地の前記各切欠部に隣接する周辺端部を下側に折り返し、折り返されて下側になる前記各周辺端部の端部分を前記裏生地の外周に重ね合わせることにより、前記中生地と前記裏生地とを重ね、前記第２のステッチを、前記各周辺端部の端部分と前記裏生地の外周部分とが縫い合わされるように、かつ、第１のステッチよりも外側に位置するように設ける、ことを特徴とする布団の製造方法。
【発明の詳細な説明】
【技術分野】
【０００１】
本発明は、布団及び布団の製造方法に関する。
【背景技術】
【０００２】
表生地、裏生地及び中生地を有し、裏生地と中生地とによって形成される袋状体に中綿が収容されている布団及び当該布団の製造方法は、既に広く知られている。また、布団の洗濯や長期間の使用により中綿の通称「ふき」部分に「綿寄れ」が発生するが、これを防止するために、中綿を袋状体と縫い合わせて収容する方法が既に開示されている（特許文献１参照）。
【特許文献１】特開２００１−１６１５２９号公報
【発明の開示】
【発明が解決しようとする課題】
【０００３】
しかしながら、中綿を従来の方法によって袋状体に収容する場合、中綿の状態が袋状体の外側からのみ確認されるため、中綿の正確な状態を判断しにくく、また、袋状体に設けられている開口部は中綿を挿入するための１箇所のみであるため、袋状体に対して中綿をきれいに揃えて収容する作業が煩雑で手間がかかるという問題があった。
【０００４】
そこで、本発明は、煩雑な作業を省いて効率よく製造される布団及びその布団の製造方法を提供することを目的とする。
【課題を解決するための手段】
【０００５】
本発明は、以下の方法により上述した課題を解決する。なお、本発明の理解を容易にするために添付図面の参照符号を括弧書きにて付記するが、それにより本発明が図示の形態に限定されるものではない。
【０００６】
本発明による布団は、表生地（１）と裏生地（２）とが重ねられその外周が一辺（Ｌ１、Ｌ２）を除いて第１のステッチ（１０）により縫い合わされることによって第１の袋状体（Ａ）が形成され、四隅に切欠部（５）が設けられかつ該切欠部よりも内側には切り込み部（６）が設けられた中生地（３）と前記裏生地とが重ねられてその外周が前記四隅を除いて第２のステッチ（１２）により縫い合わされることによって第２の袋状体（Ｂ）が形成され、前記第２の袋状体には前記切り込み部からエンドレスファイバーで構成された中綿（２０）が収容されて該中綿の四隅のそれぞれが前記中生地の前記切欠部のそれぞれから前記第２の袋状体の外部に引き出され、前記第１の袋状体が裏返されて、その内部に前記中綿が収容された前記第２の袋状体が収容されている布団であって、前記中生地の前記各切欠部に隣接する周辺端部（８ａ…８ｄ）が下側に折り返され、折り返されて下側になる前記各周辺端部の端部分が前記裏生地の外周に重ね合わされることにより、前記中生地と前記裏生地とが重ねられ、前記第２のステッチは、前記各周辺端部の端部分と前記裏生地の外周部分とを縫い合わせるように、かつ、前記第１のステッチよりも外側に位置するように設けられていることにより上述の課題を解決する。
【０００７】
本発明における中生地には、切り込み部及び四隅に切欠部が設けられているので、切り込み部から中綿を第２の袋状体に挿入し、挿入された中綿の四隅を各切欠部からそれぞれ引き出すことができる。引き出された四隅は袋状体の外部にあるので、袋状体の外側から中綿の状態を正確に確認でき、また中綿の位置の移動はこの袋状体の外部に出ている四隅を使って移動させればよいので、中綿の位置決めを容易かつ確実に行なうことができる。
【０００８】
また、本発明における中綿はエンドレスファイバーによって構成されている。一般の繊維は所定の長さのものが無数におり重なって構成されるが、エンドレスファイバーは、繊維が途切れることなく繋がっている。このため、引力に対して一般の中綿よりも耐性が高い。従って、このエンドレスファイバーで構成された中綿を使用することにより、中綿の形状がくずれることを気にすることなく四隅を切欠部から引き出して中綿の位置決め作業を行なうことができる。なお、このエンドレスファイバーは上述したように途切れないため、中綿として使用してもホコリが中の綿から出ることがない。従って、清潔性、保温性及び通気性においても一般の中綿よりも優れている。また、家庭の洗濯機でも丸洗いが可能である。
【０００９】
また、本発明による布団は前記中綿が収容された前記第２の袋状体において、前記第２の袋状体の外周に沿って前記中綿と縫い合わされていてもよい。中綿は第２の袋状体に収容された後にその外周が第２の袋状体と縫い合わされるので、中綿の綿寄れを防止することができ、布団の形状や保温性を保つことができる。
【００１０】
本発明による布団の製造方法は、表生地（１）と裏生地（２）とを重ねてその外周を一辺（Ｌ１、Ｌ２）を除いて第１のステッチ（１０）により縫い合わせることによって第１の袋状体（Ａ）を形成し、四隅に切欠部（５）が設けられかつ該切欠部よりも内側には切り込み部（６）が設けられた中生地（３）と前記裏生地とを重ねてその外周を前記四隅を除いて第２のステッチ（１２）により縫い合わせることによって第２の袋状体（ｂ）を形成し、前記第２の袋状体に前記切り込み部からエンドレスファイバーで構成された中綿（２０）を収容し、該中綿の四隅のそれぞれが前記中生地の前記切欠部のそれぞれから前記第２の袋状体の外部に引き出し、前記第１の袋状体を裏返し、その中に前記中綿が収容された前記第２の袋状体を収容する布団の製造方法であって、前記第２のステッチを設ける際に、前記中生地の前記各切欠部に隣接する周辺端部（８ａ…８ｄ）を下側に折り返し、折り返されて下側になる前記各周辺端部の端部分を前記裏生地の外周に重ね合わせることにより、前記中生地と前記裏生地とを重ね、前記第２のステッチを、前記各周辺端部の端部分と前記裏生地の外周部分とが縫い合わされるように、かつ、前記第１のステッチよりも外側に位置するように設けることにより上述した課題を解決する。
【００１１】
本発明の布団製造方法によれば、本発明による布団に関して説明した理由と同様の理由によって、中綿の位置決めが容易となり作業効率の良い布団製造作業を実現する。エンドレスファイバーを使用する意義についても上述した説明と同様である。
【発明の効果】
【００１２】
以上のように、本発明によれば、エンドレスファイバーで構成された中綿を使用し、中生地の四隅に切欠部を設けることにより、容易でかつ確実な中綿の位置決めを実現し、これにより煩雑で手間のかかった布団の製造作業の効率化を図ることができる。また、製造ラインにおいて新しい機械やシステムの導入は不要であり、コストパフォーマンスにも寄与する。
【発明を実施するための最良の形態】
【００１３】
まず初めに、本発明による布団を構成する生地について図１を用いて説明する。なお、布団の幅方向をＸ方向とし、長手方向をＹ方向と呼ぶ。本発明の布団は、図１に示すように表生地１と裏生地２と中生地３とを有する。裏生地２と表生地１とは共に同寸法の矩形である。中生地３は、四隅に略正方形の切欠部５ａ…５ｄと中央部分にＹ方向に平行な線状の切り込み部６とが設けられている。中生地３は切欠部５ａ…５ｄの間に形成される周辺端部８ａ…８ｄの分だけ裏生地２よりも大きい。すなわち、各切欠部５ａ…５ｄの内側の角を結んで形成される矩形７が裏生地２とほぼ同寸法となる。以下、特に区別する必要がない場合切欠部５ａ…５ｄ及び周辺端部８ａ…８ｄをそれぞれ単に「切欠部５」及び「周辺端部８」という。
【００１４】
表生地１及び裏生地２は使用者の肌に直接触れる部分なので、肌に優しい素材、例えば綿布で構成されることが望ましい。中生地３は最終的には表生地１によって覆われる部分なので、洗濯しても水切りが良く乾燥性の良好な材料、例えば粗めのナイロン製の布で構成されることが望ましい。
【００１５】
上述した各生地１、２、３によって構成される本発明の布団の製造方法について、以下に説明する。各生地１、２、３は、まず図１に示すように上から中生地３、裏生地２、表生地１の順で重ねられてそれらの外周部が縫い合わされる。各生地１、２、３が縫い合わされた状態、すなわち中綿が収容される前の布団の状態を以下「生地体９」と呼ぶ（図２参照）。各生地１、２、３を縫い合わせてこの生地体９を製造する工程について図２（ａ）及び（ｂ）を用いて説明する。（ａ）は図１に示す生地体９のＸ方向に沿った断面図であり、（ｂ）は図１に示す生地体９のＹ方向の断面図である。
【００１６】
まず、表生地１の上側に布団の表柄、裏生地２の下側に布団の裏柄が来るように表生地１と裏生地２とを重ね、一辺Ｌ１、Ｌ２を除いてステッチ１０によってその外周を縫い合わせ、第１の袋状体としての袋状体Ａを形成する。係る具合に表生地１及び裏生地２を重ねるのは、袋状体Ａは最終的に裏返されるためである。また、表生地１は図２（ａ）に示すように下にたるんだ状態となるように、表生地１のＹ方向に平行な二辺を内側にずらして裏生地２と縫い合わせる。これにより最終的に得られる布団の表側からステッチ１０が視認されないようにすることができる。表生地１の一辺Ｌ１と裏生地２の一辺Ｌ２とは縫い合わされないので、図２（ｂ）に示すように開放された状態となる。
【００１７】
次に、裏生地２を挟んで袋状体Ａが形成された側と反対側に第２の袋状体としての袋状体Ｂを形成する。袋状体Ｂは、中生地３の周辺端部８を、図２（ａ）及び（ｂ）に示すように下側に折り返し、折り返されて下側になる周辺端部８の端部分を裏生地２の外周と重ね合わせ、その端部分と裏生地２の外周部分とをステッチ１２によって縫い合わせることによって形成される。ステッチ１２はステッチ１０より外側に施す。これにより最終的に得られる布団の外側からステッチ１２を視認されないようにすることができる。
【００１８】
以上の工程により、裏生地２を挟んで下側に袋状体Ａが形成され、上側に袋状体Ａよりも大きな袋状体である袋状体Ｂが形成される。また、形成された袋状体Ｂの四隅には図３に示すように、中生地３の周辺端部８が折り返されて裏生地２と縫い合わされることによって、中生地３の切欠部５部分に袋状体Ｂの開口部Ｃが形成される。
【００１９】
次に、中綿を袋状体Ｂへ挿入する工程以降の工程について、図４（ａ）〜図６（ｂ）を用いて説明する。各図（ｂ）は同一図番の（ａ）に示される状態の布団の中央部分をＸ方向に切断した断面図である。まず、中綿２０を中生地３の上面に設けられた切り込み部６から袋状体Ｂへ挿入する。次に、中綿２０の四隅を袋状体Ｂの四隅に設けられている開口部Ｃからそれぞれ引き出して、中綿２０の位置を決定する。図４（ａ）は中綿２０の四隅が袋状体Ｂの開口部Ｃから外側に引き出されて袋状体Ｂに収容された状態を示す図である。中綿２０はエンドレスファイバーによって構成され、予め袋状体Ｂに合わせたものを使用する。エンドレスファイバーは上述したように引力に対してある程度の耐性を有するので、開口部Ｃから中綿２０の四隅を引き出す際や中綿２０を移動させる際に中綿２０の四隅に引力をかけても中綿２０に影響はない。袋状体Ｂから引き出された中綿２０の四隅によって、中綿２０の位置を確認しながらその位置を決定する。
【００２０】
中綿２０の位置決定後、袋状体Ｂの外周と中綿２０とを図５（ａ）及び（ｂ）に示すようにステッチ２１によって縫い合わせる。ステッチ２１は図５（ｂ）に示すように、ステッチ１２の外側に施す。これにより、中綿２０の通称「ふき」部分を固定することができ、上述の綿寄れを防止することができる。最後に、表生地１を裏生地２と縫い合わされていない辺Ｌ１から裏返して中生地３を覆う。これによって、図６（ａ）及び（ｂ）に示すように、裏生地２が最終的に得られる布団の下側、裏返された表生地１が最終的に得られる布団の表側となり、かかる裏生地２と表生地１によって形成される袋状体Ａに、中綿２０が設置されている袋状体Ｂが収容された布団が形成される。
【００２１】
本発明は上述した形態に限定されず、種々の形態にて実施してよい。例えば、袋状体
Ａ及び袋状体Ｂを形成する工程はどちらを先に形成してもよい。また、表生地１は裏返されて袋状体Ｂを覆うため、袋状体Ｂの大きさによっては裏生地２よりも大きい寸法に裁断されていてもよい。ステッチ１０及びステッチ１２の位置は、本携帯においてはステッチ１２が外側に施されているが、同じ位置でもよい。
【図面の簡単な説明】
【００２２】
【図１】本発明の一実施形態における布団に使用される生地の構成示す図。
【図２】（ａ）は図１の各生地が縫い合わされた状態の中心部をＸ方向に切断した断面図であり、（ｂ）は図１の各生地が縫い合わされた状態の中心部をＹ方向に切断した断面図。
【図３】図１の各生地が縫い合わされた状態の切欠部付近の拡大図。
【図４】（ａ）は中綿が収容された状態を示す外観図であり、（ｂ）は（ａ）の状態における布団の中心部をＸ方向に切断した断面図。
【図５】（ａ）は中綿の外周が縫い合わされた状態を示す外観図であり、（ｂ）は（ａ）の状態における布団の中心部をＸ方向に切断した断面図。
【図６】（ａ）は本発明による布団の最終的な外観を示す図であり、（ｂ）は（ａ）の状態における布団の中心部をＸ方向に切断した断面図。
【符号の説明】
【００２３】
１      表生地
２      裏生地
３      中生地
５      切欠部
６      切り込み部
Ａ、Ｂ  袋状体
【図１】
0004612315.tif 000002
【図２】
0004612315.tif 000003
【図３】
0004612315.tif 000004
【図４】
0004612315.tif 000005
【図５】
0004612315.tif 000006
【図６】
0004612315.tif 000007